(57)【要約】【課題】  不正行為を効果的に防止できるセレクタ及び遊技機、遊技機の不正行為防止方法並びにプログラムを提供すること。【解決手段】  遊技機内に設けられたメダルセレクタ１のメダル通路１１に対して、メダルＭの通過によって回転する回転体１３を設け、その回転体の回転（回転方向・回転の有無）とメダルセンサＭＳ１，ＭＳ２による検出結果との組み合わせにより、メダルセンサＭＳ１，ＭＳ２によるメダル検出後に回転体１３の逆転が生じたり、メダル検出が継続して行われているにもかかわらず回転体１３の停止が確認されたりする場合には、不正行為と判定する。かかる判定方法は、プログラムとして具現化され、ＣＰＵにより実行されることにより実現される。【選択図】  図４
2006051188.tif 000002
【特許請求の範囲】
【請求項１】
メダル投入口から投入されたメダルを選別して排出するメダルセレクタであって、メダル投入口からメダル排出口へメダルを転動させるメダル通路と、前記メダル通路のメダル排出口側に設けられてメダルを検出するメダルセンサと、前記メダル通路に設けられてメダルが前記メダル投入口から前記メダル排出口へ向かって通過するときに予め定められた回転方向に回転する回転体と、前記回転体の回転を検出する回転検出器と、を備えるメダルセレクタ。
【請求項２】
前記回転体を前記メダル投入口の近傍に設けたことを特徴とする請求項１記載のメダルセレクタ。
【請求項３】
前記回転体を前記メダル排出口の近傍に設けたことを特徴とする請求項１記載のメダルセレクタ
【請求項４】
前記回転体の表面に突起を設けたことを特徴とする請求項１記載のメダルセレクタ。
【請求項５】
メダル投入口から投入されたメダルを選別して排出するメダルセレクタであって、メダル投入口からメダル排出口へメダルを転動させるメダル通路と、前記メダル通路のメダル排出口側に設けられてメダルを検出するメダルセンサと、前記メダル通路に設けられてメダルが前記メダル投入口から前記メダル排出口へ向かって通過するときに予め定められた回転方向に回転する回転体と、前記回転体の回転を検出する回転検出器と、を含むメダルセレクタと、
前記メダルセレクタにおける前記メダルセンサ及び前記回転検出器に接続され、前記メダルセンサの検出結果と前記回転検出器の検出結果とを組み合わせて、不正行為又はエラー発生を判定する制御部とを備える、ことを特徴とする遊技機。
【請求項６】
前記制御部は、前記メダルセンサがメダルを検出した後、所定時間に亘って、前記回転検出器の出力を監視して、前記回転体が前記予め定められた回転方向とは逆方向に回転していることを検出したときに、不正行為又はエラー発生と判定する、ことを特徴とする請求項５記載の遊技機。
【請求項７】
前記制御部は、前記回転検出器の出力を監視している際に、前記メダルセンサが新たなメダルの検出を行った場合には、当該新たなメダルの検出の後、所定時間に亘って、前記回転検出器の出力の監視を継続する、ことを特徴とする請求項６記載の遊技機。
【請求項８】
前記制御部は、前記メダルセンサが予め定められた閾値以上の枚数のメダルを検出しているが、前記回転検出器が前記回転体の回転を検出していないときに、不正行為又はエラーと判定することを特徴とする請求項５記載の遊技機。
【請求項９】
メダル投入口からメダル排出口へメダルを転動させるメダル通路と、前記メダル通路のメダル排出口側に設けられてメダルを検出するメダルセンサと、前記メダル通路に設けられてメダルが前記メダル投入口から前記メダル排出口へ向かって通過するときに予め定められた回転方向に回転する回転体と、前記回転体の回転を検出する回転検出器とを備え、メダル投入口から投入されたメダルを選別して排出するメダルセレクタを含む遊技機における不正行為検出方法であって、
前記メダルセンサの出力を監視するステップと、
前記メダルセンサの出力に基づきメダルを検出した後、所定時間に亘って、前記回転検出器の出力を監視するステップと、
前記回転検出器の出力に基づいて、前記回転体が前記予め定められた回転方向とは逆方向に回転していることを検出したときに、不正行為と判定するステップとを備える遊技機の不正行為検出方法。
【請求項１０】
前記回転検出器の出力を監視するステップの実行中に、前記メダルセンサの出力に基づき新たなメダルを検出した場合には、当該新たなメダルの検出の後、所定時間に亘って、前記回転検出器の出力の監視を継続することを特徴とする請求項９記載の遊技機の不正行為検出方法。
【請求項１１】
メダル投入口からメダル排出口へメダルを転動させるメダル通路と、前記メダル通路のメダル排出口側に設けられてメダルを検出するメダルセンサと、前記メダル通路に設けられてメダルが前記メダル投入口から前記メダル排出口へ向かって通過するときに所定回転方向に回転する回転体と、前記回転体の回転を検出する回転検出器とを備え、メダル投入口から投入されたメダルを選別して排出するメダルセレクタを含む遊技機における不正行為検出方法であって、
前記回転検出器の出力を監視するステップと、
前記メダルセンサの出力を監視するステップと、
前記メダルセンサが予め定められた閾値以上の枚数のメダルを検出しているが、前記回転検出器が前記回転体の回転を検出していないときに、不正行為と判定するステップとを備える遊技機の不正行為検出方法。
【請求項１２】
不正行為と判定したときに、遊技処理を停止するとともにメダルの払い出しを停止するステップを備えることを特徴とする請求項９乃至請求項１１いずれかに記載の遊技機の不正行為検出方法。
【請求項１３】
メダル投入口からメダル排出口へメダルを転動させるメダル通路と、前記メダル通路のメダル排出口側に設けられてメダルを検出するメダルセンサと、前記メダル通路に設けられてメダルが前記メダル投入口から前記メダル排出口へ向かって通過するときに所定回転方向に回転する回転体と、前記回転体の回転を検出する回転検出器とを有し、メダル投入口から投入されたメダルを選別して排出するメダルセレクタと、メモリ及びＣＰＵを含む遊技機において、ＣＰＵに所定の処理を実行させることにより、不正行為の検出を可能とするプログラムであって、
前記所定の処理は、
前記メダルセンサの出力を監視するステップと、
前記メダルセンサの出力に基づきメダルを検出した後、所定時間に亘って、前記回転検出器の出力を監視するステップと、
前記回転検出器の出力に基づいて、前記回転体が前記所定回転方向とは逆方向に回転していることを検出したときに、不正行為と判定するステップと、を備えるプログラム。
【請求項１４】
メダル投入口からメダル排出口へメダルを転動させるメダル通路と、前記メダル通路のメダル排出口側に設けられてメダルを検出するメダルセンサと、前記メダル通路に設けられてメダルが前記メダル投入口から前記メダル排出口へ向かって通過するときに所定回転方向に回転する回転体と、前記回転体の回転を検出する回転検出器とを有し、メダル投入口から投入されたメダルを選別して排出するメダルセレクタと、メモリ及びＣＰＵを含む遊技機において、ＣＰＵに所定の処理を実行させることにより、不正行為の検出を可能とするプログラムであって、
前記所定の処理は、
前記回転検出器の出力を監視するステップと、
前記メダルセンサの出力を監視するステップと、
前記メダルセンサが予め定められた閾値以上の枚数のメダルを検出しているが、前記回転検出器が前記回転体の回転を検出していないときに、不正行為と判定するステップと、を備えるプログラム。
【発明の詳細な説明】
【技術分野】
【０００１】
この発明は、スロットマシン等の遊技機に用いられるメダルセレクタ及び遊技機、遊技機の不正行為検出方法並びにプログラムに関する。
【背景技術】
【０００２】
スロットマシン等の遊技機は、遊技者が所定の枚数のメダル（遊技媒体）を遊技機に投入してゲームを楽しむことができるものである。遊技に必要なメダルは、遊技ホール内に設けられたメダル貸機等で借りることができ、所望の遊技機のメダル投入口にメダルを投入することによりゲームを開始することができる。
【０００３】
投入されたメダルは遊技機内部のメダルセレクタで選別される（不良メダルは返却される）とともに、投入されたメダルの枚数が計数される。この計数値がメダルの投入枚数として扱われ、この範囲内で遊技者は遊技を楽しむことができる。メダルを投入した後であっても、遊技によりクレジットを消費する前であれば投入したメダルの返却を求めることができる。返却操作のために遊技機の前面パネルにキャンセルボタンが設けられている（図１の符号１３８参照）。
【０００４】
図１３はスロットマシンが備える従来のメダルセレクタの斜視図である。図１３において、１はメダルセレクタ、１１は下り傾斜したメダル通路、１２はメダルセレクタ１のメダル出口、ＭＳ１及びＭＳ２はメダル通路１１に設けられたフォトインタラプタ（メダル検出のためのセンサ）である。なお、Ｍは投入されたメダルを示す。メダルセレクタ１の上部から投入されたメダルＭは、メダル通路１１に沿って落下し、途中で進行方向を斜め横に変えられ、メダル出口１２から排出される。なお、大きさが異なる非正規のメダルはメダル通路の途中で落下し、メダル返却口に戻る。
【０００５】
メダル出口１２の近傍には２つのメダルセンサＭＳ１，ＭＳ２がメダルの進行方向に沿って並んで設けられている。メダルの検知は２つのセンサの検出順序により行われている。ＭＳ１，ＭＳ２を２つ隣接させて設けているので、メダルの通過速度や通過方向を検出することができ、これらに基づきメダル枚数だけでなく、メダルの逆流やセルロイドなどを用いた不正行為を検出することができる。また、メダルセンサＭＳ１，ＭＳ２をメダル入り口から遠い側に設けることにより、不正行為をやりにくくしている。
【発明の開示】
【発明が解決しようとする課題】
【０００６】
遊技機に対する不正行為（いわゆるゴト行為）が増えてきていて、これによる被害も増大しつつある。しかも不正行為の手法も時とともに巧妙になってきている。そのため、従来の対策だけでは不十分になりつつある。
【０００７】
本発明は上記課題を解決するためになされたもので、不正行為を効果的に防止できるセレクタ及び遊技機、遊技機の不正行為防止方法並びにプログラムを提供することを目的とする。
【課題を解決するための手段】
【０００８】
本発明に係るメダルセレクタは、メダル投入口から投入されたメダルを選別して排出するメダルセレクタであって、メダル投入口からメダル排出口へメダルを転動させるメダル通路と、前記メダル通路のメダル排出口側に設けられてメダルを検出するメダルセンサと、前記メダル通路に設けられてメダルが前記メダル投入口から前記メダル排出口へ向かって通過するときに所定回転方向に回転する回転体と、前記回転体の回転を検出する回転検出器とを備えるものである。
【０００９】
前記回転体は、メダル投入口の近傍に設けられていても良いし、メダル排出口の近傍に設けられていても良い。
また、前記回転体の表面に突起を設けても良い。
【００１０】
更には、本発明によれば、前記メダルセレクタと、前記メダルセレクタにおける前記メダルセンサ及び前記回転検出器に接続され、前記メダルセンサの検出結果と前記回転検出器の検出結果とを組み合わせて、不正行為又はエラー発生を判定する制御部とを備えるようにしてもよい。
【００１１】
前記制御部は、前記メダルセンサがメダルを検出した後、所定時間に亘って、前記回転検出器の出力を監視して、前記回転体が前記所定回転方向とは逆方向に回転していることを検出したときに、不正行為又はエラー発生と判定する、こととしても良い。
【００１２】
前記制御部は、前記メダルセンサが予め定められた閾値以上の枚数のメダルを検出しているが、前記回転検出器が前記回転体の回転を検出していないときに、エラーと判定する、こととしても良い。
【００１３】
ここで、制御部とは、例えば遊技機内のメイン基板上に設けられたＣＰＵであり、該ＣＰＵは本発明に係るプログラムを実行することにより上記のエラー等判定処理を行うことができる。
【００１４】
上記のプログラムは、例えば、記録媒体に記録される。
媒体には、例えば、ＥＰＲＯＭデバイス、フラッシュメモリデバイス、フレキシブルディスク、ハードディスク、磁気テープ、光磁気ディスク、ＣＤ（ＣＤ−ＲＯＭ、Ｖｉｄｅｏ−ＣＤを含む）、ＤＶＤ（ＤＶＤ−Ｖｉｄｅｏ、ＤＶＤ−ＲＯＭ、ＤＶＤ−ＲＡＭを含む）、ＲＯＭカートリッジ、バッテリバックアップ付きのＲＡＭメモリカートリッジ、フラッシュメモリカートリッジ、不揮発性ＲＡＭカートリッジ等を含む。
【００１５】
また、電話回線等の有線通信媒体、マイクロ波回線等の無線通信媒体等の通信媒体も上記のプログラムに関する媒体に含まれる。例えば、インターネットもここでいう通信媒体に含まれる。
【００１６】
媒体とは、何等かの物理的手段により情報（主にデジタルデータ、プログラム）が当該媒体上に載せられうるものであって、コンピュータ、専用プロセッサ等の処理装置に所定の機能を行わせることができるものである。
【発明の効果】
【００１７】
この発明によれば、投入されたメダルで回転する回転体を設けたので、不正行為の道具でメダルセレクタのセンサを誤動作させた場合と実際にメダルを投入した場合を判別することができ、不正行為を確実に検出することができる。不正行為者に利益を与えることを防止できる。
【発明を実施するための最良の形態】
【００１８】
発明の実施の形態１．
この発明の実施の形態に係るスロットマシン及びその不正行為の防止方法について図面を参照して説明する。
【００１９】
図１は前扉を閉めた状態を示すスロットマシンの正面図、図２は前扉を１８０度開いた状態を示すスロットマシンの正面図を示す。
【００２０】
図１及び図２中、１００はスロットマシンを示すもので、このスロットマシン１００は、図１に示すように、スロットマシン本体１２０と、このスロットマシン本体１２０の前面片側にヒンジ等により開閉可能に取り付けられた前扉１３０とを備えている。前記前扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２のさらに右側には、メダル投入口１３２から投入され、詰まってしまったメダルをスロットマシン１００外に強制的に排出するためのリジェクトボタン１３３が設けられている。
【００２１】
また、前記ゲーム表示部１３１の左下方には、ゲームを開始するためのスタートスイッチ１３４を設けてあり、３つのリールのそれぞれに対応して３つのストップボタン１４０を設けてある。前扉の下端部中央には、メダルの払出し口１３５を設けてある。遊技用のメダルをメダル投入口１３２に投入するか若しくはベットスイッチ１３７の操作を条件に、スタートスイッチ１３４を操作すると３つのリールが回転を開始し、ゲームがスタートする。キャンセルスイッチ（キャンセルボタンとも呼ぶ）１３８は投入済みのメダルの返却を求めるためのものである。
【００２２】
スロットマシン本体１２０の内部には、図２に示すように、その内底面に固定され、内部に複数のメダルを貯留して、貯留したメダルを前扉１３０の前面に設けた払出し口１３５に１枚ずつ払い出すためのホッパ装置１２１が設置されている。このホッパ装置１２１の上部には、上方に向けて開口し、内部に複数のメダルを貯留するホッパタンク１２２を備えている。スロットマシン本体１２０の内部には、前扉１３０を閉めたときにゲーム表示部１３１が来る位置に三個の回転リールからなるリールユニット２０３が設置されている。
【００２３】
前記前扉１３０の裏面には、図２に示すように、メダルセレクタ１が、前扉１３０の前面に設けられたメダル投入口１３２の裏側に取り付けられている。このメダルセレクタ１は、メダル投入口１３２から投入されたメダルの通過を検出しながら、当該メダルをホッパ装置１２１に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。
【００２４】
また、メダルセレクタ１の下側には、図２に示すように、その下部側を覆って前扉１３０の払出し口１３５に連通する導出路１３６が設けられている。メダルセレクタ１により振り分けられたメダルは、この導出路１３６を介して払出し口１３５から遊技者に返却される。
【００２５】
スロットマシンで遊技を楽しもうとする遊技者は、まずメダル貸機（図示しない）等から遊技媒体であるメダルを借り、メダル投入装置のメダル投入口１３２に直接メダルを入れることができる。スロットマシンの筐体の中央部及び上部には、遊技者側に向かって臨む四角窓状の表示窓が形成されている。そして、この中央部の表示窓の中央には、三個の回転リールの図柄を見ることができる図柄表示窓が形成されている。スタートスイッチ１３４は回転リールの斜め下方に位置するレバーであって、遊技メダルの投入を条件に、リールユニットの駆動を開始させる。リールユニットは、ストップスイッチによりその駆動が停止される。リールユニットは、三個の回転リールから構成されている。そして、各回転リールは、合成樹脂からなる回転ドラムと、この回転ドラムの周囲に貼付されるテープ状のリールテープとを備えている。このリールテープの外周面には、複数個（例えば２１個）の図柄が表示されている。
【００２６】
図３はスロットマシンの機能ブロック図を示す。２００、２０１はそれぞれＣＰＵを内蔵するメイン基板、サブ基板である。メイン基板２００はメダルの投入、払い出し、リールの制御、当選処理などを行う。サブ基板２０１は演出表示などの処理を行う。２０２はスタートスイッチ１３４やストップスイッチ、ベットスイッチなどのスイッチからなる操作部２０２である。２０３は三個の回転リールからなるリールユニットである。２０４はゲーム表示部１３１やリールの内部照明、液晶表示装置、スピーカなどを含む演出表示部である。演出表示部２０４により当選役や押し順の報知がなされる。
【００２７】
図３に示されるように、発明の実施の形態１においては、メダルセレクタ１のメダルセンサＭＳ１，ＭＳ２及びロータリーエンコーダ１４はメイン基板２００に接続されており、夫々、メダル検出信号及び回転検出信号をメイン基板２００に出力している。
【００２８】
ここで、メダル検出信号は、メダルＭの検出の有無を示す信号であり、メダルＭその他の物体がメダルセンサＭＳ１又はＭＳ２のいずれか一方の前を通過した際にパルスが立ち上がるものである（図７（ａ）参照：後述）。なお、実施の形態１におけるメダルセンサＭＳ１及びＭＳ２は、図４に示されるように、メダル通路１１のメダル排出口１２側に設けられている。
【００２９】
本発明の実施の形態１においては、背景技術において述べたこととは異なり、メダルセンサＭＳ１，ＭＳ２を物体通過の有無の検出のみに用いていることから、原理上は、一方のメダルセンサのみの出力があれば良い。そこで後述の図７では２つのメダルセンサＭＳ１及びＭＳ２を合わせてひとつの信号として表現している。しかしこのことは、勿論、以下に詳述する本発明の実施の形態１におけるメダルセンサの使い方に加え、背景技術において述べたようなメダルセンサの利用を並行して行うように本実施の形態１を変更することを妨げるものではない。すなわち、メダルＭの動きに伴う位相のずれを有するメダルセンサＭＳ１及びＭＳ２の２つの信号を用いて従来と同様にメダル枚数の計数、逆流検出及び不正行為検出を行うようにしてもよい。本発明の実施の形態１においてひとつのセンサ（例えばメダルセンサＭＳ１及びＭＳ２の一方、又はこれらと別個に設けたセンサ）を用いれば本発明の実施の形態１の作用効果を奏するが、当該センサを従来のメダルセンサと共用することもできるということである。従来のメダル枚数の計数などの処理は、本発明の実施の形態１の動作と直接関係しないので、以下の説明において従来のメダル枚数の計数などの処理について触れない。図７においてメダル検出信号ＭＳ１，ＭＳ２を合わせてひとつの信号として表現しているのは、上述の趣旨である。
【００３０】
ロータリーエンコーダ１４は、回転量を電気信号に変換する角度センサであり、回転量をデジタル量で正確に検出するという特徴を備えるものである。ロータリーエンコーダ１４の出力はパルス信号であり、パルスを計数することにより回転量を知ることができる。多くのロータリーエンコーダは、位相が異なる２つのパルス信号を出力するＡ信号端子とＢ信号端子を備える。Ａ信号とＢ信号の関係、すなわちどちらの位相が進んでいるかを調べることによりロータリーエンコーダの軸の回転量ばかりでなく、回転方向についても知ることができる。
【００３１】
本発明の実施の形態１においては、図４に示されるように、メダル通路１１のうちメダル投入口近傍に対して回転体１３が設けられており、且つ、図５（ａ）に示されるように、その回転体１３に対して上記のロータリーエンコーダ１４が接続されている。これにより、メダルＭが投入されて回転体１３が回転すると、ロータリーエンコーダ１４が回転して、上述したように回転体１３の回転に応じた信号を生成する。なお、回転体１３の回転軸とロータリーエンコーダ１４の軸は直接連結されているか、ギア等を介して連結されている。
【００３２】
回転体１３は、図５（ｂ）に示されるように、メダル通路１１の上に一定の隙間をあけて設置する。当該隙間はメダルＭの厚さよりも少し小さく、投入されたメダルＭが回転体を確実に回転させる程度とする。特に、本実施の形態１における回転体１３は、図４に示されるように、略円柱状のものであり、且つ、その表面に対して、円柱の径方向に向かって突出すると共に軸方向に向かって延びるようにして設けられた複数の突起１３ａを備えている。これにより、メダルＭが投入されると、メダルＭが突起１３ａにひっかかり、確実に回転体１３を回転させることができる。
【００３３】
なお、図５（ｃ）のように、メダル通路１１に開口１１ａを設け、その中に回転体１３を収納してもよい。この場合、回転体１３がメダル通路１１の表面よりやや飛び出して、投入されたメダルＭが回転体１３を確実に回転させるようにする。更には、回転体１３の設置位置は、図６に示されるように、メダル通路１１におけるメダル排出口１２側であっても良い。
【００３４】
メダルセンサＭＳ１，ＭＳ２の出力信号であるメダル検出信号と、ロータリーエンコーダ１４の２つの出力信号である回転検出信号Ａ，Ｂの例を図７に示す。メダルＭが投入され、メダル通路１１をメダル投入口側からメダル排出口１２側に向かって進むとき、回転体１３は所定回転方向に回転し、その回転方向が図７（ａ）に示されるようにロータリーエンコーダ１４によって検出される。この際の回転体１３の回転方向（図５（ｂ）（ｃ）の矢印の方向）を正転とし、その逆方向を逆転とする。回転体１３の回転方向はロータリーエンコーダ１４の２つの回転検出信号Ａ及びＢの位相関係から判る。投入されたメダルＭはメダル通路１１を通ってメダルセンサＭＳ１，ＭＳ２に到達するので、同図のようなメダル検出信号が得られる（同図はメダル検出信号の概略を示す）。これに対して、図７（ｂ）は、何らかの理由で回転体１３が逆転し、それがロータリーエンコーダ１４にて検出された場合の例を示す。図７（ｂ）と図７（ａ）とにおいて回転検出信号Ａ及びＢのパルス立ち上がりの順番（両信号の位相）を比較すれば明らかなように、２つの回転検出信号Ａ及びＢの関係から、回転体１３の正転・逆転が容易に判別できる。
【００３５】
このようにして得られる回転検出信号Ａ，Ｂ及びメダル検出信号は、図３に示されるように、メイン基板２００に伝達され、メイン基板２００に搭載されたＣＰＵにて処理されて、以下に詳述するような不正行為・エラー発生の検出に用いられる。なお、メイン基板２００上には、プログラムを格納したメモリ（図示せず）も搭載されており、下記の不正行為・エラー発生の検出はＣＰＵが当該メモリに格納されたプログラムに従って動作することにより実現される。メイン基板２００は、メダルセンサの検出結果とロータリエンコーダの検出結果とを組み合わせて、不正行為又はエラー発生を判定する制御部として機能する。
【００３６】
図８に示されるように、本発明の実施の形態１においては、遊技機に電源が投入されると、メダルセンサＭＳ１，ＭＳ２の出力が常に監視され（ステップＳ１１）、その出力の有無が判定される（ステップＳ１２）。図７（ａ）に示されるようにメダル検出信号においてパルスが立ち上がると、一旦、メダルＭがメダルセンサＭＳ１，ＭＳ２の前を通過したものとして、投入メダル数をインクリメントする（ステップＳ１３）。その後、図９に示される回転検知処理をアクティブにするためのトリガを生成する（ステップＳ１４）。このメダル計数処理は、遊技機の電源が投入されている間、常に実行され、メダル検出信号においてパルスが立ち上がるたびに、ステップＳ１４におけるトリガ生成が行われる。
【００３７】
トリガが生成されると、それにより図９に示される回転検知処理がスタートする。この回転検知処理は、例えば、ブーメラン状のセルロイド板などを使って、メダルセンサＭＳ１，ＭＳ２を誤動作させたりする不正行為を回転体の回転を利用して検知するための処理である。詳しくは、セルロイド板などを使ってメダルセンサＭＳ１，ＭＳ２を誤動作させる場合、メダルセンサＭＳ１，ＭＳ２の誤動作後（即ち、メダル計数後）、必ず、セルロイド板の引き抜きに伴う回転体１３の逆転が生ずる。しかも、この逆転は、遊技機の設置場所であるホールを監視する者の目を盗んで不正行為をしていることから、不正行為により投入メダル数を増やした直後の一定期間に検出される。本実施の形態１は、かかる状況を鑑み、メダルセンサＭＳ１，ＭＳ２によりメダルＭその他の物体の通過を検出した直後の一定期間、回転体１３の逆転が生じないか否かをチェックし、それに基づいて不正行為を発見しようとするものである。
【００３８】
詳しくは、図８のステップＳ１４においてトリガが生成されると、回転検知処理においては回転体１３の検知期間として“ｔ１”を図示しないタイマーにセットし（ステップＳ２１）、その間、ロータリーエンコーダ１４の出力を監視し続ける（ステップＳ２２）。タイマーは、その値ｔを設定されたｔ１から一定時間ごとに減らしていき、やがてゼロになるまで動作を継続する。
【００３９】
ロータリーエンコーダ１４の出力の監視中に、回転体１３が逆転したことが検出されると（ステップＳ２３）、上述したような不正行為が生じたものとしてエラー報知（ステップＳ２４）を行い、回転検知処理を終了する。
【００４０】
一方、回転体１３が逆転しない場合（つまり、回転体が正転しているか、停止している場合）、新たにメダルＭその他の物体がメダルセンサＭＳ１，ＭＳ２の前を通過したことにより新たなトリガが生成されない限り（ステップＳ２５）、設定した検知期間が経過するまで（ステップＳ２６）、ステップＳ２２に戻り、ロータリーエンコーダ１４の出力の監視をし続ける。ここで、ステップＳ２５において、新たにメダルＭその他の物体がメダルセンサＭＳ１，ＭＳ２の前を通過したことにより新たなトリガが生成されたと判断された場合には、ステップＳ２１に戻り、タイマーをセットしなおすことにより、いわば、回転検知処理の再起動が行われる。また、設定した検知期間内に回転体１３の逆転が生じなかった場合（ステップＳ２６でＹＥＳ）、メダルセンサＭＳ１，ＭＳ２の検出結果には異常がなかったものとして回転検知処理を終了する。
【００４１】
このように、本実施の形態１においては、従来から存在するメダルセンサの出力と本願において新たに加えられた回転体１３の出力とを組み合わせることにより、不正行為が行われたか否かを回転体１３の回転方向に基づいて検出することができる。
【００４２】
本実施の形態１においては、回転検出器として、ロータリーエンコーダ１４を用いたもののみについて説明してきたが、例えば、ロータリーエンコーダ１４以外に、ポテンショメータを用いることもできる。
【００４３】
また、本実施の形態１において検出したい逆転は、セルロイド板などの引き抜きに伴う逆転であり、例えばメダルの一時的な逆転と比較すると、セルロイド板の長さに応じた逆転回数が生じる点で、一時的な逆転（メダル逆流に伴うもの）とは大きく異なる。よって、例えば、図９のステップ２３を逆転回数が所定回数以上であるか否かの判定に変更することで、不正行為のみの検出の精度を高め、メダル逆流に伴う一時的な回転体１３の逆転を排除するという変形も容易に行うことができる。かかる設計変更上の自由度は、背景技術に記載したようなメダルセンサＭＳ１，ＭＳ２の出力のみに基づいてメダルの通過方向などを判定する手法と比較して、格段に高められている。
【００４４】
発明の実施の形態２．
遊技機に対する不正行為（いわゆるゴト行為）が増えてきていて、これによる被害も増大しつつある。しかも不正行為の手法も時とともに巧妙になってきている。そのひとつとしてメダル投入口から不正行為用の器具を挿入し、メダルセレクタのメダル計数機能を不正に操作し誤動作させ、メダルを投入していないにもかかわらず不正に多数のクレジットを得るという手口がある。すなわち、先端に赤外線ＬＥＤなどの発光素子を２つ設けた器具を挿入し、これらをセンサＭＳ１，ＭＳ２に向けて点滅させることによりメダル検出信号を作り出し、不正なクレジットを得ているようである。不正に得たクレジットで遊技を行うことができるが、多くの場合、キャンセルボタンによりメダルの返却を受けているようである。メダルセレクタに対する不正行為の発見は遅れるケースが多く、被害の拡大が懸念されている。
【００４５】
以下に説明する発明の実施の形態２はそのような不正行為を好適に検出するためのものである。なお、本発明の実施の形態２は、上述した実施の形態１と同じハードウェア構成を備えており、従って、ハードウェア構成についての説明は省略する。換言すると、実施の形態２と前述の実施の形態１との相違は、メダル検出信号と回転検出信号との組み合わせをどのように利用するかにあり、その方法の相違は具体的にはメモリ上に格納されたプログラムとして実現される。当該プログラムがＣＰＵにより実行されることにより、以下に詳述するような方法が具現化される。
【００４６】
図１０（ａ）はメダルが連続投入されているときの出力信号を示す（正常）。メダル検出信号が連続して発生しているが、同時にロータリーエンコーダ１４が連続して回転体１３の回転を検出している。このように両方のセンサが連続して検出しているならば、正常と判定できる。
【００４７】
一方、図１０（ｂ）は上記のような不正行為が行われているときの出力信号を示す。電気的にメダル検出信号を不正に発生させているので、実際のメダルＭがメダルセンサＭＳ１，ＭＳ２の前を通過することにより生じたパルスよりも、メダル検出信号のパルスの間隔及び幅が狭くなっている。このようにして、不正行為の道具を挿入して不正にメダル検出信号を発生させているときは、不正行為の道具を動かさないから、メダル検出信号の出力が一定数連続して出ているにもかかわらず、ロータリーエンコーダ１４は回転体１３の回転を検出していない。したがって、発明の実施の形態２では、（１）ロータリーエンコーダが回転を検出していないときに、（２）メダル投入のみが連続して検出され、その間の一時的なメダル計数値が閾値（例えば１０枚）以上になった場合不正行為と判定する。上記の不正行為は被害が大きいので、エラーを報知するだけでなく、遊技受付を停止するとともにメダルの払い戻しを停止して、不正行為者に利益を与えないようにすることが特に好ましい。
【００４８】
以下、本実施の形態２による不正行為検出方法について、図１１及び図１２を用いて詳細に説明する。
【００４９】
本実施の形態２において、説明を簡単にするために、ロータリーエンコーダ１４の出力が常に監視されている（図１１のステップＳ３１）ものとする。但し、実施の形態１のように、メダル計数処理からのトリガに応じて、ロータリーエンコーダ１４の出力を監視することとしても良い。その場合、図１２に示されるメダル計数処理において、ステップＳ４３及びＳ４４の間に図８に示されるステップＳ１４のトリガ生成を加えれば良い。
【００５０】
ロータリーエンコーダ１４の出力について、実施の形態１においては逆転したか否かを監視対象としていたが、本実施の形態２においては回転体１３が回転（正転又は逆転）しているか停止しているかが監視対象となっている（ステップＳ３２）。ステップＳ３２における回転停止判定の結果、回転体１３が停止していると判断した場合には、ステップＳ３３に進んで停止フラグをたてる（Ｆ＝１）一方、回転体１３が回転している場合には、ステップＳ３４に進んで停止フラグをおろす（Ｆ＝０）。仮に、実施の形態１と実施の形態２とを組み合わせたい場合には、実施の形態１において行われていた処理を例えばステップＳ３４以降に行えば良い。
【００５１】
一方、メダルセンサＭＳ１，ＭＳ２の出力については、本実施の形態２においても常に監視対象とされている（図１２のステップＳ４１）。そして、ステップＳ４２においてメダル検出の有無の判定が行われ（ステップＳ４２）、メダル検出がなされた場合には投入メダル数をインクリメントする（ステップＳ４３）。ここまでは、図８に示される実施の形態１によるメダル計数処理と同じである。
【００５２】
本実施の形態２においては、その後、回転体が停止しているにもかかわらず投入メダル数のインクリメントが繰り返し行われる場合には上述した不正行為が行われているものと判断するものである。
【００５３】
詳しくは、回転体１３がメダル投入口側に設けられ、且つ、メダルセンサＭＳ１，ＭＳ２がメダル排出口１２側に設けられている場合、既に回転体１３の前を通過したメダルＭがメダルセンサＭＳ１，ＭＳ２で検知されるわけであるから、回転体１３が停止していること自体はさほど問題ではない。しかし、回転体が停止した後も、投入メダル数が所定数以上インクリメントされ続けることはありえない。そこで、本実施の形態２においては、回転体１３の停止を検出した場合には（ステップＳ４４）、一時的メダルカウンタ（カウンタ値Ｃｔ）を用いて停止後のメダル検出数を別途計数し（ステップＳ４５）、そのカウンタ値Ｃｔが所定数（Ｃｘ）以上となった場合には（ステップＳ４６）、エラー報知（ステップＳ４７）を行うと共に遊技受付停止及びメダル払戻停止（ステップＳ４８）を行うこととした。なお、本実施の形態２のステップＳ４４においてＮｏと判断された場合、後続投入されたメダルＭが回転体１３を回転させているものと認定し、一時的メダルカウンタＣｔの値をリセットして（ステップＳ４９：Ｃｔ＝０）、メダル計数処理を継続する。また、ステップＳ４６においてカウンタ値Ｃｔが所定数Ｃｘを超えない場合には、回転体１３を通過したメダルＭで未だメダルセンサＭＳ１，ＭＳ２にて検知されていないものがあったものと判断して、ステップＳ４１に戻り、メダルセンサの出力の監視を続行する。
【００５４】
以上の説明から明らかなように、カウンタ値Ｃｔに関して定められる所定数Ｃｘは、回転体１３とメダルセンサＭＳ１，ＭＳ２との位置関係及びその間をメダルＭが転動する際のメダルＭとメダル通路１１との摩擦などを考慮して定められるものである（例えばＣｘ＝１０）。
【００５５】
上述したように、本発明の実施の形態は、メダルセレクタ１のメダル通路１１に、投入されたメダルＭにより回転する回転体１３を設けると共に、その回転を検知するロータリーエンコーダ１４を接続したことを特徴とする。メダルＭを投入した場合、メダルＭの通過により回転体１３が一方向に回転するため、ロータリーエンコーダ１４の出力として一定のパルスが出力され、回転方向が検知できる。この回転方向が正常のときにメダル通過センサＭＳ１，ＭＳ２の出力が正常な順番で出力されることで、正しくメダル投入が検知される。一方、コイン投入口から不正用器具を挿入している場合、それがセルロイド板のような器具であった場合には当該器具を動かすことにより回転体１３が逆転するであろうし、不正用器具が先端にＬＥＤなどを備えてなるものの場合、メダル計数が行われている一方で不正用器具が留置されている関係上、回転体が静止状態にあることになるが、これらは、ロータリーエンコーダ１４の出力により容易に判別可能となる。
【００５６】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００５７】
【図１】遊技機（スロットマシン）の正面図である。
【図２】遊技機の前面を開いた状態を示す正面図である。
【図３】発明の実施の形態１に係る遊技機のブロック図である。
【図４】発明の実施の形態１に係るメダルセレクタの概略を示す斜視図である。
【図５】メダルセレクタ内における回転体の配置状態について説明するための図である。
【図６】回転体の位置に関する変形例を示す図である。
【図７】ロータリーエンコーダで検出される回転体の回転を示す回転検出信号とメダルセンサの出力であるメダル検出信号を示す概略タイミングチャートである。
【図８】実施の形態１によるメダル計数処理を示すフローチャートである。
【図９】実施の形態１による回転検知処理を示すフローチャートである。
【図１０】実施の形態２において判定したい不正行為を説明するための概略タイミングチャートである。
【図１１】実施の形態２による回転検知処理を示すフローチャートである。
【図１２】実施の形態２によるメダル計数処理を示すフローチャートである。
【図１３】従来のメダルセレクタの概略を示す斜視図である。
【符号の説明】
【００５８】
１    メダルセレクタ
１１  メダル通路
１２  メダル排出口
１３  回転体
１４  ロータリーエンコーダ（回転検出器）
１００  スロットマシン
１２０  スロットマシン本体
１２１  ホッパ装置
１３０  前扉
１３１  ゲーム表示部
１３２  メダル投入口
１３３  リジェクトボタン
１３４  スタートスイッチ
１３５  メダル払い出し口
１３６  導出路
１３７  ベットスイッチ
１３８  キャンセルスイッチ（キャンセルボタン）
１４０  ストップボタン
２００  メイン基板
２０１  サブ基板
２０２  操作部
２０３  リールユニット
２０４  演出表示部
ＭＳ１  メダルセンサ
ＭＳ２  メダルセンサ
Ｍ      メダル
【図１】
2006051188.tif 000003
【図２】
2006051188.tif 000004
【図３】
2006051188.tif 000005
【図４】
2006051188.tif 000006
【図５】
2006051188.tif 000007
【図６】
2006051188.tif 000008
【図７】
2006051188.tif 000009
【図８】
2006051188.tif 000010
【図９】
2006051188.tif 000011
【図１０】
2006051188.tif 000012
【図１１】
2006051188.tif 000013
【図１２】
2006051188.tif 000014
【図１３】
2006051188.tif 000015